(57)【特許請求の範囲】
【請求項１】
第１の筒部と、前記第１の筒部の内部に挿入された第２の筒部とを有し、前記第２の筒部が前記第１の筒部の軸方向に移動することで伸縮可能な外筒と、
前記第１の筒部の内周部分に環状に形成され、テーパ状の内周面を有する第１の嵌合部と、
前記第２の筒部の外周部分に環状に形成され、前記第１の嵌合部の内周面に当接するテーパ状の外周面を有し、前記外筒が伸長することで前記第１の嵌合部に嵌合し、前記第２の筒部が前記第１の筒部に対して揺動することを規制する第２の嵌合部と、  
前記第１の筒部の内周部分に設けられた雌ネジ部と、
前記第２の筒部の外周部分に設けられ、前記雌ネジ部に嵌合した雄ネジ部と、
前記第２の筒部を前記第２の筒部の軸回り方向に回転させることで前記雌ネジ部と前記雄ネジ部との嵌合部を介して前記第２の筒部を前記第１の筒部の軸方向に移動させる回転駆動部と、を具備し、
前記外筒の伸縮時に前記第１の嵌合部と前記第２の嵌合部とを回転させながら接離させることを特徴とする伸縮ポール。
【請求項２】
前記回転駆動部は、
外周部分に第１の突出部が設けられた第１の内筒と、
内周部分に前記第１の内筒の軸方向に延設されたスプライン溝である第１の溝部が設けられ、前記第１の溝部に前記第１の突出部がスプライン嵌め合わされ、前記第１の突出部が第１の溝部に沿って前記第１の内筒の軸方向に摺動可能な状態で前記第１の内筒が軸方向に移動可能に挿入される第２の内筒と、
前記第１の内筒を前記第２の筒部の軸回り方向に回転させる駆動部と、を具備し、
前記外筒の伸縮時には前記第１の内筒の回転を前記第１の溝部と前記第１の突出部とのスプライン嵌め合わ部を介して前記第２の筒部に伝達することを特徴とする請求項１に記載の伸縮ポール。
【請求項３】
前記第１の筒部は、前記外筒が短縮することで前記第２の筒部の端部に当接し前記第２の筒部が前記外筒を短縮する方向に回転させられることを規制するロック部を有することを特徴とする請求項１に記載の伸縮ポール。
【請求項４】
前記第１の嵌合部および前記第２の嵌合部の少なくともいずれか一方が、前記第１の嵌合部と前記第２の嵌合部とが回転しながら嵌合する際の回転方向の摩擦を軽減するスラスト軸受を有することを特徴とする請求項１に記載の伸縮ポール。
【請求項５】
前記ロック部は、テーパ状の内周面を有する環状に形成され、
前記第２の筒部の端部は、前記ロック部の内周面に当接するテーパ状の外周面を有する環状に形成されたことを特徴とする請求項３に記載の伸縮ポール。
【請求項６】
前記ロック部が前記第１の嵌合部と前記第２の嵌合部とが回転しながら嵌合する際の回転方向の摩擦を軽減するスラスト軸受を有することを特徴とする請求項３または請求項５に記載の伸縮ポール。
【請求項７】
前記第１の内筒の内部を通って、前記第２の筒部に支持された載置物に接続されたケーブルをさらに具備することを特徴とする請求項１に記載の伸縮ポール。
【発明の詳細な説明】
【技術分野】
【０００１】
本発明の実施形態は、伸縮ポールに関する。
【背景技術】
【０００２】
例えばアンテナを搭載したトラックでは、当該アンテナを支持するポールを備える。このポールは、アンテナの高さを調整するために伸縮可能に構成される。ポールは、一般的に、油圧式または電動の機構によって伸縮する。
【先行技術文献】
【特許文献】
【０００３】
【特許文献１】特開平８−１４２１０号公報
【発明の概要】
【発明が解決しようとする課題】
【０００４】
ポールの伸長時の剛性が低い場合、アンテナを支持する当該ポールがぐらつくおそれがある。このぐらつきを抑制するために、多段式のポールの各部品をロックする方法があるが、作業員が手作業で各部品をロックするため手間がかかる。
【０００５】
本発明の目的は、容易に伸長時の剛性を高くできる伸縮ポールを提供することにある。
【課題を解決するための手段】
【０００６】
一つの実施の形態に係る伸縮ポールは、外筒と、第１の嵌合部と、第２の嵌合部と、を備える。前記外筒は、第１の筒部と、前記第１の筒部の内部に挿入された第２の筒部とを有し、前記第２の筒部が前記第１の筒部の軸方向に移動することで伸縮可能である。前記第１の嵌合部は、前記第１の筒部の内周部分に環状に形成され、テーパ状の内周面を有する。前記第２の嵌合部は、前記第２の筒部の外周部分に環状に形成され、前記第１の嵌合部の内周面に当接するテーパ状の外周面を有し、前記外筒が伸長することで前記第１の嵌合部に嵌合し、前記第２の筒部が前記第１の筒部に対して揺動することを規制する。前記第１の筒部の内周部分に設けられた雌ネジ部と、前記第２の筒部の外周部分に設けられ、前記雌ネジ部に嵌合した雄ネジ部と、前記第２の筒部を前記第２の筒部の軸回り方向に回転させることで前記雌ネジ部と前記雄ネジ部との嵌合部を介して前記第２の筒部を前記第１の筒部の軸方向に移動させる回転駆動部と、をさらに具備する。前記外筒の伸縮時に前記第１の嵌合部と前記第２の嵌合部とを回転させながら接離させる。
【図面の簡単な説明】
【０００７】
【図１】第１の実施の形態に係る車両を概略的に示す側面図。
【図２】第１の実施形態のアンテナユニットを示す断面図。
【図３】第１の実施形態の第１の筒部を四分の一切り欠いて示す斜視図。
【図４】第１の実施形態の第２の筒部を四分の一切り欠いて示す斜視図。
【図５】第１の実施形態の第１の内筒を四分の一切り欠いて示す斜視図。
【図６】第１の実施形態の三つの第２の内筒を四分の一切り欠いて示す斜視図。
【図７】第１の実施形態の第２の筒部が移動した伸縮ポールを示す断面図。
【図８】第１の実施形態の一つの第１の筒部が移動した伸縮ポールを示す断面図。
【図９】第１の実施形態の他の第１の筒部が移動した伸縮ポールを示す断面図。
【図１０】第２の実施の形態に係る伸縮ポールを示す断面図。
【図１１】第３の実施の形態に係る伸縮ポールを示す断面図。
【図１２】第４の実施の形態に係る伸縮ポールを示す断面図。
【発明を実施するための形態】
【０００８】
以下に、第１の実施の形態について、図１から図９を参照して説明する。なお、以下に開示する実施形態において、互いに同一の機能を有する構成部分には同一の参照符号を付す。さらに、当該構成部分については、その説明を一部または全て省略することがある。
【０００９】
図１は、車両１を概略的に示す側面図である。図１に示すように、車両１はトラックである。車両１は、シェルター１１と、複数のジャッキ１２と、アンテナユニット１３とを備えている。
【００１０】
シェルター１１は、車両１の後方に配置され、矩形の箱状に形成されている。シェルター１１は、種々の電子機器、発電機、およびその他の装置を収容している。ジャッキ１２は、車両１の前端および後端にそれぞれ配置されている。ジャッキ１２は、例えば油圧によって伸縮し、車両１を安定的に持ち上げる。
【００１１】
アンテナユニット１３は、シェルター１１の上面に配置されている。アンテナユニット１３は、アンテナ１６と、伸縮ポール１７と、支持ベース１８とを備えている。アンテナ１６は、載置物の一例である。伸縮ポール１７は、支持ベース１８から伸縮自在に立ち上がっており、アンテナ１６を支持する。支持ベース１８は、シェルター１１の上面に固定されている。
【００１２】
図２は、アンテナユニット１３を示す断面図である。図２において、アンテナ１６は二点鎖線で示される。図２に示すように、伸縮ポール１７は、外筒２１と、回転駆動部２２と、ケーブル２３とを備えている。
【００１３】
外筒２１は、三つの第１の筒部２５，２６，２７と、第２の筒部２８とを有している。第１の筒部２５は、外筒２１の最も外側に配置され、支持ベース１８に固定されている。第１の筒部２６は、第１の筒部２５の内部に挿入されている。第１の筒部２７は、第１の筒部２６の内部に挿入されている。第２の筒部２８は、第１の筒部２７の内部に挿入されている。
【００１４】
第１の筒部２５は、第１の嵌合部３１と、雌ネジ部３２と、ロック部３３と、ダストシール３４とを有している。第１の嵌合部３１と、雌ネジ部３２と、ロック部３３と、ダストシール３４とは、それぞれ第１の筒部２５の内周部分に設けられている。
【００１５】
第１の嵌合部３１は、第１の筒部２５の内周面から突出し、第１の筒部２５と一体に形成されている。第１の嵌合部３１は、第１の筒部２５の先端に向かって先細るテーパ状の内周面を有する環状に形成されている。本明細書において、先端という場合、アンテナ１６に向く方（上方）の端部を指す。
【００１６】
雌ネジ部３２は、第１の嵌合部３１よりも、第１の筒部２５の基端に近い。本明細書において、基端という場合、シェルター１１に向く方（下方）の端部を指す。雌ネジ部３２は、第１の筒部２５の軸方向の一定の長さに亘って設けられている。
【００１７】
ロック部３３は、第１の筒部２５の基端に配置されている。ロック部３３は、環状に形成され、第１の筒部２５の内側に嵌め込まれている。ロック部３３は、第１の筒部２５に固定されている。
【００１８】
ダストシール３４は、第１の筒部２５の先端に配置されている。ダストシール３４は、例えば合成ゴムによって環状に形成されている。ダストシール３４は、第１の筒部２５の内側に嵌め込まれ、第１の筒部２５と内側の第１の筒部２６との間の隙間を塞ぐ。
【００１９】
図３は、第１の筒部２６を四分の一切り欠いて示す斜視図である。図３に示すように、第１の筒部２６は、第１の筒部２５と同様に、第１の嵌合部３１と、雌ネジ部３２と、ロック部３３と、ダストシール３４とを有している。第１の嵌合部３１と、雌ネジ部３２と、ロック部３３と、ダストシール３４とは、それぞれ第１の筒部２６の内周部分に設けられている。
【００２０】
第１の筒部２６はさらに、第２の嵌合部３６と、雄ネジ部３７とを備えている。第２の嵌合部３６と、雄ネジ部３７とは、第１の筒部２６の外周部分にそれぞれ設けられている。
【００２１】
第２の嵌合部３６は、第１の筒部２６の外周面から突出し、第１の筒部２６と一体に形成されている。第２の嵌合部３６は、第１の筒部２６の先端に向かって先細るテーパ状の外周面を有する環状に形成されている。第２の嵌合部３６は、外側の第１の筒部２５の第１の嵌合部３１に対応して設けられている。
【００２２】
雄ネジ部３７は、第１の筒部２６の基端に設けられている。雄ネジ部３７は、外側の第１の筒部２５の雌ネジ部３２に嵌合している。このため、第１の筒部２６は、回転することにより第１の筒部２５の軸方向に移動可能である。
【００２３】
図２に示すように、第１の筒部２７は、第１の筒部２６と同様に、第１の嵌合部３１と、雌ネジ部３２と、ロック部３３と、ダストシール３４と、第２の嵌合部３６と、雄ネジ部３７とを有している。第１の嵌合部３１と、雌ネジ部３２と、ロック部３３と、ダストシール３４とは、それぞれ第１の筒部２７の内周部分に設けられている。第２の嵌合部３６と、雄ネジ部３７とは、それぞれ第１の筒部２７の外周部分に設けられている。
【００２４】
図４は、第２の筒部２８を四分の一切り欠いて示す斜視図である。図４に示すように、第２の筒部２８は、第１の筒部２６，２７と同様に、第２の嵌合部３６と、雄ネジ部３７とを有している。第２の嵌合部３６と、雄ネジ部３７とは、それぞれ第２の筒部２８の外周部分に設けられている。
【００２５】
第２の筒部２８の雄ネジ部３７が、内側の第１の筒部２７の雌ネジ部３２に嵌合している。このため、第２の筒部２８は、回転することで第１の筒部２７の軸方向に移動可能である。
【００２６】
第２の筒部２８はさらに、複数の係合部４１と、受け部４２とを有している。係合部４１は、第２の筒部２８の内周面からそれぞれ突出している。係合部４１は、第２の筒部２８とそれぞれ一体に形成されている。
【００２７】
受け部４２は、第２の筒部２８の基端の側から、係合部４１に当接している。受け部４２は、環状に形成され、第２の筒部２８の内側に嵌め込まれている。受け部４２は、第２の筒部２８に固定されている。
【００２８】
図２に示すように、回転駆動部２２は、第１の内筒４５と、三つの第２の内筒４６，４７，４８と、駆動部４９とを有している。第２の内筒４８は、第２の筒部２８の内部に挿入されている。第２の内筒４７は、第２の内筒４８の内部に挿入されている。第２の内筒４６は、第２の内筒４７の内部に挿入されている。第１の内筒４５は、第２の内筒４６の内部に挿入されている。
【００２９】
図５は、第１の内筒４５を四分の一切り欠いて示す斜視図である。図５に示すように、第１の内筒４５は、中空のスプラインシャフトである。第１の内筒４５は、複数の第１の突出部５１を有している。
【００３０】
第１の突出部５１は、第１の内筒４５の先端に設けられている。第１の突出部５１は、第１の内筒４５と一体に形成され、第１の内筒４５の外周面からそれぞれ放射状に突出している。
【００３１】
図６は、三つの第２の内筒４６，４７，４８をそれぞれ四分の一切り欠いて示す斜視図である。図６に示すように、第２の内筒４６，４７，４８は、内周面にスプライン溝が設けられた中空のスプラインシャフトである。
【００３２】
最も内側の第２の内筒４６に、複数の第１の溝部５３と、複数の内筒突出部５４とが設けられている。第１の溝部５３は、第２の内筒４６の内周部分に設けられている。内筒突出部５４は、第２の内筒４６の外周部分に設けられている。
【００３３】
第１の溝部５３は、第２の内筒４６の内周面から窪んでいる。第１の溝部５３は、第１の内筒４６の長手方向にそれぞれ延びている。第１の溝部５３は、第２の内筒４６の基端で閉塞されている。
【００３４】
第１の溝部５３と、第１の内筒４５の第１の突出部５１とは、第１の突出部５１が第１の内筒４５の長手方向にそれぞれ摺動可能なように嵌め合わされる。すなわち、第１の内筒４５と第２の内筒４６とは、スプライン嵌め合いがなされる。このため、第１の内筒４５は、第２の内筒４６の軸方向に移動可能である。
【００３５】
内筒突出部５４は、第２の内筒４６の先端に設けられている。内筒突出部４５は、第２の内筒４６と一体に形成され、第２の内筒４６の外周面からそれぞれ放射状に突出している。
【００３６】
第２の内筒４７に、第２の内筒４６と同様に、複数の内筒突出部５４が設けられている。第２の内筒４７には、さらに、複数の内筒溝部５５が設けられている。内筒溝部５５は、第２の内筒４７の内周部分に設けられている。
【００３７】
内筒溝部５５は、第２の内筒４７の内周面から窪んでいる。内筒溝部５５は、第２の内筒４７の長手方向にそれぞれ延びている。内筒溝部５５は、第２の内筒４７の基端で閉塞されている。
【００３８】
内筒溝部５５と、第２の内筒４６の内筒突出部５４とは、内筒突出部５４が第２の内筒４６の長手方向にそれぞれ摺動可能なように嵌め合わされている。すなわち、二つの第２の内筒４６，４７は、スプライン嵌め合いがなされる。このため、第２の内筒４６は、第２の内筒４７の軸方向に移動可能である。
【００３９】
第２の内筒４８に、第２の内筒４７と同様に、複数の内筒溝部５５が設けられている。第２の内筒４８には、さらに、複数の第２の突出部５６が設けられている。第２の突出部５６は、第２の内筒４８の外周部分に設けられている。
【００４０】
第２の突出部５６は、第２の内筒４８の先端に設けられている。第２の突出部５６は、第２の内筒４８と一体に形成され、第２の内筒４８の外周面からそれぞれ放射状に突出している。
【００４１】
図２に示すように、第２の突出部５６と、第２の筒部２８に設けられた係合部４１が形成する複数の第２の溝部５８とが嵌め合わされる。すなわち、第２の筒部２８と第２の内筒４８とは、スプライン嵌め合いがなされる。第２の突出部５６は、受け部４２にそれぞれ支持されている。
【００４２】
駆動部４９は、支持ベース１８に収容されている。駆動部４９は、第１の内筒４５に接続されている。駆動部４９は、例えばモータであり、第１の内筒４５を任意の方向に回転させる。
【００４３】
ケーブル２３は、中空な第１の内筒４５の内部を通って配設されている。ケーブル２３の一方の端部は、例えばシェルター１１に収容された電子機器に接続されている。ケーブル２３の他方の端部は、アンテナ１６に接続されている。
【００４４】
前記構成の伸縮ポール１７は、以下のように伸縮する。  
図２に示すように、伸縮ポール１７は通常、短縮されている。伸縮ポール１７を伸長させる場合、駆動部４９によって第１の内筒４５を回転させる。第１の内筒４５を回転させると、回転トルクが第１の内筒４５から、第２の内筒４６，４７，４８および第２の筒部２８に伝達される。
【００４５】
図７は、第２の筒部２８が移動した伸縮ポール１７を示す断面図である。図６に示すように、第２の筒部２８に回転トルクが伝達されると、第２の筒部２８が回転する。同時に、雌ネジ部３２および雄ネジ部３７によって、第２の筒部２８が第１の筒部２７の軸方向（上方）に移動し、外筒２１が伸長する。
【００４６】
外筒２１が伸長するに伴い、第２の内筒４８の第２の突出部５６が、第２の筒部２８の受け部４２によって引き上げられる。これにより、第２の筒部２８に持ち上げられ、第２の内筒４８が第２の内筒４７の軸方向（上方）に移動する。
【００４７】
外筒２１が伸長すると、第２の筒部２８の第２の嵌合部３６が、第１の筒部２７の第１の嵌合部３１に嵌合する。第２の嵌合部３６の外周面は、第１の嵌合部３１の内周面に面接触する。第１の嵌合部３１と第２の嵌合部３６とが嵌合することにより、第２の筒部２８が高い剛性を伴って第１の筒部２７に固定され、第２の筒部２８が第１の筒部２７に対して揺動することが規制される。さらに、第２の筒部２８が第１の筒部２７に対してそれ以上移動することが規制される。
【００４８】
図８は、第１の筒部２７が移動した伸縮ポール１７を示す断面図である。第２の筒部２８の移動が規制されると、回転トルクが第２の筒部２８を介して第１の筒部２７に伝達される。これにより、第１の筒部２７は、回転することで第１の筒部２６の軸方向（上方）に移動し、外筒２１がさらに伸長する。
【００４９】
外筒２１が伸長するに伴い、第２の内筒４７の内筒突出部５４が、第２の内筒４８の基端によって引き上げられる。第２の内筒４８の基端は、内筒溝部５５を閉塞している。これにより、第２の内筒４８に持ち上げられ、第２の内筒４７が第２の内筒４６の軸方向（上方）に移動する。
【００５０】
外筒２１が伸長すると、第１の筒部２７の第２の嵌合部３６が、第１の筒部２６の第１の嵌合部３１に嵌合する。これにより、第１の筒部２７が高い剛性を伴って第１の筒部２６に固定され、第１の筒部２７が第１の筒部２６に対して揺動することが規制される。さらに、第１の筒部２７が第１の筒部２６に対してそれ以上移動することが規制される。
【００５１】
図９は、第１の筒部２６が移動した伸縮ポール１７を示す断面図である。第１の筒部２７の移動が規制されると、回転トルクが第１の筒部２７を介して第１の筒部２６に伝達される。これにより、第１の筒部２６は、回転することで第１の筒部２５の軸方向（上方）に移動し、外筒２１がさらに伸長する。
【００５２】
外筒２１が伸長するに伴い、第２の内筒４６の内筒突出部５４が、第２の内筒４７の基端によって引き上げられる。第２の内筒４７の基端は、内筒溝部５５を閉塞している。これにより、第２の内筒４７に持ち上げられ、第２の内筒４６が第１の内筒４５の軸方向（上方）に移動する。
【００５３】
外筒２１が伸長すると、第１の筒部２６の第２の嵌合部３６が、第１の筒部２５の第１の嵌合部３１に嵌合する。これにより、第１の筒部２６が高い剛性を伴って第１の筒部２５に固定され、第１の筒部２６が第１の筒部２５に対して揺動することが規制される。さらに、第１の筒部２６が第１の筒部２５に対してそれ以上移動することが規制され、伸縮ポール１７の伸長が終了する。
【００５４】
伸縮ポール１７を短縮させる場合、駆動部４９によって第１の内筒４５を、伸縮ポール１７を伸長させる場合と逆方向に回転させる。第１の内筒４５を逆回転させると、回転トルクが第１の内筒４５から、第２の内筒４６，４７，４８および第２の筒部２８に伝達される。
【００５５】
第２の筒部２８に回転トルクが伝達されると、第２の筒部２８が逆回転し、雌ネジ部３２および雄ネジ部３７によって高い荷重が発生する。これにより、第２の筒部２８の第２の嵌合部３６と、第１の筒部２７の第１の嵌合部３１との嵌合が解除される。第２の筒部２８は、第１の筒部２７の軸方向（下方）に移動し、外筒２１が短縮する。
【００５６】
外筒２１が短縮すると、第２の筒部２８の基端が、第１の筒部２７のロック部３３に当接する。ロック部３３によって、第２の筒部２８が第１の筒部２７に対してそれ以上逆回転することが規制される。
【００５７】
第２の筒部２８の移動が規制されると、回転トルクが第２の筒部２８を介して第１の筒部２７に伝達される。これにより、第１の筒部２７は、逆回転することで第１の筒部２６の軸方向（下方）に移動し、外筒２１がさらに短縮する。
【００５８】
外筒２１が短縮すると、第１の筒部２７の基端が、第１の筒部２６のロック部３３に当接する。ロック部３３によって、第１の筒部２７が第１の筒部２６に対してそれ以上逆回転することが規制される。
【００５９】
第１の筒部２７の移動が規制されると、回転トルクが第１の筒部２７を介して第１の筒部２６に伝達される。これにより、第１の筒部２６は、逆回転することで第１の筒部２５の軸方向（下方）に移動し、外筒２１がさらに短縮する。
【００６０】
外筒２１が短縮すると、第１の筒部２６の基端が、第１の筒部２５のロック部３３に当接する。ロック部３３によって、第１の筒部２６が第１の筒部２５に対してそれ以上逆回転することが規制される。これにより、図２に示すように伸縮ポール１７の短縮が終了する。
【００６１】
なお、第２の筒部２６，２７，２８が移動する順番は、上記の順番に限らない。例えば、第２の筒部２８より先に、第２の筒部２７が移動を始めても良い。付言すると、大抵の場合、最初に移動を始めるのは、直径が最も小さい第２の筒部２８である。
【００６２】
前記構成の伸縮ポール１７によれば、外筒２１が伸長することで、第２の嵌合部３６が第１の嵌合部３１に嵌合し、第１および第２の筒部２５〜２８が揺動することが規制される。すなわち、外筒２１の伸長に伴い、第１および第２の筒部２５〜２８がロックされる。これにより、伸長時の伸縮ポール１７の剛性が高くなり、伸縮ポール１７がぐらつくことが抑制される。さらに、伸縮ポール１７の伸長作業とロック作業とが同時に行われるため、ロックが容易になり、作業性が向上する。
【００６３】
第１の嵌合部３１は、テーパ状の内周面を有する環状に形成されている。第２の嵌合部３６は、テーパ状の外周面を有する環状に形成されている。これにより、ロック荷重が向上し、安定的に第１および第２の筒部２５〜２８の揺動を規制できる。また、第１の嵌合部３１と第２の嵌合部３６との嵌合および嵌合の解除が容易となる。
【００６４】
外筒２１が短縮することで、第１および第２の筒部２６，２７，２８の各基端がロック部３３に当接し、第１および第２の筒部２６，２７，２８の逆回転が規制される。これにより、伸縮ポール１７を容易に短縮できる。
【００６５】
駆動部４９によって第１の内筒４５を回転させることで、伸縮ポール１７が伸長する。また、駆動部４９によって第１の内筒４５を逆回転させることで、伸縮ポール１７が短縮する。このように、駆動部４９を操作するだけで、容易に伸縮ポール１７が伸縮できる。さらに、第１および第２の筒部２５〜２８のロックも駆動部４９を操作することで行うことができ、作業が容易となる。
【００６６】
次に、図１０を参照して、第２の実施の形態について説明する。図１０は、第２の実施の形態に係る伸縮ポール１７を示す断面図である。図１０に示すように、第２の実施形態の第１の筒部２５，２６，２７は、第１の実施形態の第１の嵌合部３１の代わりに、第１の嵌合部６１をそれぞれ有している。
【００６７】
第１の嵌合部６１は、テーパローラベアリング６２と、当接部６３とそれぞれ有している。テーパローラベアリング６２は、スラスト軸受の一例である。テーパローラベアリング６２は、第１の筒部２５，２６，２７の内周部分にそれぞれ取り付けられている。
【００６８】
当接部６３は、第１の筒部２５，２６，２７のそれぞれの先端に向いて先細るテーパ状の内周面を有する環状に形成されている。当接部６３は、テーパローラベアリング６２の内側にそれぞれ嵌め込まれている。
【００６９】
伸縮ポール１７の伸長時に、第１および第２の筒部２６，２７，２８の第２の嵌合部３６が、それぞれ第１の嵌合部６１に嵌合する。このとき、テーパローラベアリング６２の内側に嵌合された当接部６３は、接触時に回転する第２の嵌合部３６に応じて回転可能である。
【００７０】
前記構成の伸縮ポール１７によれば、第１の嵌合部６１と第２の嵌合部３６とが嵌合する際の摩擦を軽減できる。なお、スラスト軸受はテーパローラベアリング６２に限らず、例えばアンギュラベアリングや、クロスローラベアリングのようなスラスト方向に剛性を有する複合軸受けであっても良い。
【００７１】
次に、図１１を参照して、第３の実施の形態について説明する。図１１は、第３の実施の形態に係る伸縮ポール１７を示す断面図である。図１１に示すように、第３の実施形態の第１の筒部２５，２６，２７は、第１の実施形態のロック部３３の代わりに、ロック部６５をそれぞれ有している。
【００７２】
ロック部６５は、テーパローラベアリング６６と、当接部６７とを有している。テーパローラベアリング６６は、スラスト軸受の一例である。テーパローラベアリング６６は、第１の筒部２５，２６，２７の内周部分にそれぞれ取り付けられている。
【００７３】
当接部６７は、第１の筒部２５，２６，２７のそれぞれの基端に向いて先細るテーパ状の内周面を有する環状に形成されている。当接部６７は、テーパローラベアリング６６の内側にそれぞれ嵌め込まれている。
【００７４】
第１および第２の筒部２６，２７，２８のそれぞれの基端部分に、テーパ面６８がそれぞれ設けられている。テーパ面６８は、基端に向かって先細る第１および第２の筒部２６，２７，２８のそれぞれの外周面である。
【００７５】
伸縮ポール１７の短縮時に、第１および第２の筒部２６，２７，２８のテーパ面６８が、それぞれロック部６５に嵌合する。このとき、テーパローラベアリング６６の内側に嵌め込まれた当接部６７は、接触時に回転するテーパ面６８に応じて回転可能である。
【００７６】
前記構成の伸縮ポール１７によれば、ロック部６５の当接部６７は、テーパ状の内周面を有する環状に形成されている。第１および第２の筒部２６，２７，２８の基端部分に、テーパ面６８が形成されている。これにより、ロック荷重が向上し、短縮時にも、安定的に第１および第２の筒部２５〜２８の揺動を規制できる。
【００７７】
また、テーパローラベアリング６６によって、第１および第２の筒部２６，２７，２８の基端がロック部６５に当接する際の摩擦を軽減できる。なお、スラスト軸受はテーパローラベアリング６６に限らず、例えばアンギュラベアリングや、クロスローラベアリングのようなスラスト方向に剛性を有する複合軸受けであっても良い。
【００７８】
次に、図１２を参照して、第４の実施の形態について説明する。図１２は、第４の実施の形態に係る伸縮ポール１７を示す断面図である。図１２に示すように、第４の実施形態の第１および第２の筒部２６，２７，２８は、二つの雄ネジ部３７をそれぞれ有している。二つの雄ネジ部３７は、長手方向に並んで配置されるとともに、それぞれ雌ネジ部３２に嵌合している。
【００７９】
前記構成の伸縮ポール１７によれば、長手方向に並んで配置された二つの雄ネジ部３７が、それぞれ雌ネジ部３２に嵌合している。これにより、伸縮ポール１７の剛性を向上できる。さらに、雄ネジ部３２を増やすことによる重量増加を抑制することができる。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８１】
例えば、筒部のそれぞれの長さおよび個数は、用途によって定められる。また、第１の突出部５１の代わりに、例えばキーを採用しても良い。さらに、第２の筒部２６，２７，２８の軸方向への移動は、回転駆動機部２２、雌ネジ部３２、および雄ネジ部３７によるものに限らず、例えば油圧ジャッキのような他の装置によって行われても良い。また、第１および第２の嵌合部は、テーパ面を有する環状部分に限らず、例えば矩形断面を有する環状部分であっても良い。
【符号の説明】
【００８２】
１６…アンテナ、１７…伸縮ポール、２１…外筒、２２…回転駆動部、２３…ケーブル、２５，２６，２７…第１の筒部、２８…第２の筒部、３１，６１…第１の嵌合部、３２…雌ネジ部、３３，６５…ロック部、３６…第２の嵌合部、３７…雄ネジ部、４５…第１の内筒、４６，４７，４８…第２の内筒、４９…駆動部、５１…第１の突出部、５３…第１の溝部、５６…第２の突出部、５８…第２の溝部、６２，６６…テーパローラベアリング。
【図１】
0005868691.tif 000002
【図２】
0005868691.tif 000003
【図３】
0005868691.tif 000004
【図４】
0005868691.tif 000005
【図５】
0005868691.tif 000006
【図６】
0005868691.tif 000007
【図７】
0005868691.tif 000008
【図８】
0005868691.tif 000009
【図９】
0005868691.tif 000010
【図１０】
0005868691.tif 000011
【図１１】
0005868691.tif 000012
【図１２】
0005868691.tif 000013